(57)【要約】      （修正有）【課題】多数が配列された状態でも「常用」電源と「仮設」電源の動作表示が見やすく、全体を見て、全てが切り替わっているかどうかの確認が容易な動作表示装置付き開閉器を提供する。【解決手段】操作ハンドル６の先端部側に、操作ハンドル６の長手方向と直交する面を有する表示板８を固定するとともに、表示板８上に、操作ハンドル６が常用電源側の状態であることを表示する第１の文字「常用」を付し、表示板８よりも前方に、遮蔽板１２を設ける。さらに、遮蔽板１２には、操作ハンドル６が常用電源側であるときの表示板８の第１の文字「常用」を透過させる透明窓１２ａを設け、遮蔽板１２の透明窓１２ａの奥部には、操作ハンドル６が仮設電源側に回動した状態において操作ハンドル６が仮設電源側に投入されている状態であることを表示する第２の文字「仮設」を付した第２の文字表示部を設けた。【選択図】図１
0003168199.tif 000002
【実用新案登録請求の範囲】
【請求項１】
常閉接点と、常開接点と、可動接触子と、前記常閉接点に電気的に接続された常閉接点端子と、前記常開接点に電気的に接続された常開接点端子と、前記可動接触子に電気的に接続された共通端子とを有し、前記可動接触子を前記常閉接点と常開接点のいずれかに投入するための操作軸の端部に、手動操作のための操作ハンドルの基端部を設けた開閉器において、
前記操作ハンドルの先端部側に、この操作ハンドルの長手方向と直交する面を有する表示板を固定するとともに、前記表示板上に、前記操作ハンドルが第１の動作状態であることを表示する第１の文字を付し、
前記表示板よりも前方に、遮蔽板を設けるとともに、この遮蔽板には、前記操作ハンドルが第１の動作状態にあるときの前記表示板の前記第１の文字を透過させる透明窓を設け、
前記遮蔽板の前記透明窓の奥部には、前記操作ハンドルが第２の動作状態に回動した状態において前記操作ハンドルが第２の動作状態であることを表示する第２の文字を付した第２の文字表示部を設けた
ことを特徴とする動作表示装置付き開閉器。
【請求項２】
前記第１の文字と第２の文字は、色が異なることを特徴とする請求項１記載の動作表示装置付き開閉器。
【請求項３】
前記遮蔽板は、前記開閉器の充電部の上面を覆う絶縁材料で形成されている請求項１または２に記載の動作表示装置付き開閉器。
【考案の詳細な説明】
【技術分野】
【０００１】
本考案は、受配電設備等における定期点検時に、常用電源から仮設電源に切り替えて点検を行う際に用いる動作表示装置付き開閉器に関する。
【背景技術】
【０００２】
例えば、高速道路の信号灯や料金機械、各種交通情報表示のためのディスプレイ、あるいはトンネル内の照明等の機器の電源は、所定区間毎に設置された受配電設備から供給されている。
【０００３】
これらの機器の正常動作は、道路利用者が道路を安全に走行するうえで重要であり、停電や故障は大事故につながるおそれがある。
【０００４】
そこで、一定期間毎に受配電設備等を定期点検し、配線の劣化診断や機器の動作状況を確認している。この定期点検の際も、前記の機器の動作を停止できないため、常用電源から仮設電源に切り替えて機器への電力供給を続行している。
【０００５】
この電源の切り替えには、ｂ接点側に常用電源を、ａ接点側に仮設電源をつなぎ、共通端子に機器を接続するｃ接点タイプ（双投型）の開閉器が用いられる。
【０００６】
仮設電源には、通常、移動用発電機が用いられ、点検が完了すると別の受配電設備に移動して点検作業を行うようにしている。
【０００７】
上述したように、通常電源と仮設電源の切り替えには、ｃ接点タイプの開閉器が用いられるが、受配電設備には保守切替盤が設置されており、保守切替盤には、機器の数ほどの開閉器が設置されている。通常は、常用電源、すなわち送配電線からの電源がｂ接点側に接続され、共通端子に機器が接続されている。定期点検時には、移動用発電機からの仮設電源を開閉器のａ接点側につなぎ込み、全ての開閉器に仮設電源が接続されたことを確認した後に開閉器をａ接点側に切り替えて機器に通電をして常用電源を切り離した後に、常用電源側の点検を行う。
【０００８】
この点検作業は、全ての開閉器が仮設電源側に切り替わっていることが前提であるが、開閉器の人為的な切替作業であるので、重要機器への切り替え忘れによる機器の機能停止等のヒューマンエラーが生じる可能性がある。
開閉器は、通常、操作ハンドル等の位置によりｂ接点側かａ接点側かを目視できるが、開閉器の数が多いと、開閉器の操作ハンドルの位置を一つ一つ確認する必要があり、見過ごす可能性がある。
【０００９】
特許文献１には、操作ハンドルの操作と連動する回動表示板に「接続」、「切断」の文字を表示した多回路開閉器が開示されている。また、開閉器の入り切りのつまみ自体に、「入」、「切」の表示を設けたもの（家庭の配電盤に設置されているブレーカと同様）もある。
【先行技術文献】
【特許文献】
【００１０】
【特許文献１】特開２０００−３３１５７５号公報
【考案の概要】
【考案が解決しようとする課題】
【００１１】
前掲の特許文献１の多回路開閉器では、回動表示板を開閉器の正面に位置させるために、回動表示板の軸を開閉器の正面に対して垂直に配置する必要があり、正面と平行な一般的な開閉器の軸には取り付けにくいという問題がある。また、開閉器のつまみ自体に「入」、「切」の表示を設けたタイプのものは、表示部が小さく、一つ一つの開閉器を注視すれば動作状態が分かるが、多数の開閉器全体を確認する際には、ミスが生じやすいという問題がある。
【００１２】
そこで本考案は、多数が配列された状態でも「常用」電源と「仮設」電源の動作表示が見やすく、全体を見て、全てが切り替わっているかどうかの確認が容易な動作表示装置付き開閉器を提供することを目的とする。
【課題を解決するための手段】
【００１３】
前記の課題を解決するため、本考案の動作表示装置付き開閉器は、常閉接点と、常開接点と、可動接触子と、前記常閉接点に電気的に接続された常閉接点端子と、前記常開接点に電気的に接続された常開接点端子と、前記可動接触子に電気的に接続された共通端子とを有し、前記可動接触子を前記常閉接点と常開接点のいずれかに投入するための操作軸の端部に、手動操作のための操作ハンドルの基端部を設けた開閉器において、
前記操作ハンドルの先端部側に、この操作ハンドルの長手方向と直交する面を有する表示板を固定するとともに、前記表示板上に、前記操作ハンドルが第１の動作状態であることを表示する第１の文字を付し、前記表示板よりも前方に、遮蔽板を設けるとともに、この遮蔽板には、前記操作ハンドルが第１の動作状態にあるときの前記表示板の前記第１の文字を透過させる透明窓を設け、前記遮蔽板の前記透明窓の奥部には、前記操作ハンドルが第２の動作状態に回動した状態において前記操作ハンドルが第２の動作状態であることを表示する第２の文字を付した第２の文字表示部を設けたことを特徴とする。
【００１４】
本考案においては、可動接触子を常閉接点または常開接点のいずれかに投入するための操作ハンドルに表示板を設け、この表示板の前面に遮蔽板と透明窓を設け、透明窓の奥部に第２の文字表示部を設けたことにより、操作ハンドルが第１の動作状態（例えば常用電源側に投入されている状態）では透明窓から表示板の第１の文字（例えば「常用」）が視認でき、操作ハンドルが第２の動作状態（例えば仮設電源側に投入された状態）では表示板は移動してその下の第２の文字表示部の第２の文字（例えば「仮設」）が視認できる。これにより、操作ハンドルの位置だけでは多数の開閉器の動作状態が確認できにくかったことを解消して、確認が容易となる。
【００１５】
この場合、第１の文字と第２の文字を、色を異ならせて、例えば第１の文字は緑、第２の文字は赤とすることにより、全部の色が揃っているかどうかで、動作表示を確認することが容易になる。
また、前記遮蔽板は、開閉器の充電部の上面を覆う絶縁材料で形成することにより、常閉接点端子、常開接点端子、共通端子などの充電部が覆われるため、開閉器操作時に誤って充電部に触って感電をするなど事故を防ぐことができる。
【考案の効果】
【００１６】
本考案によれば、操作ハンドルの先端部側に、操作ハンドルの長手方向と直交する面を有する表示板を固定するとともに、表示板上に、操作ハンドルが第１の動作状態であることを表示する第１の文字を付し、表示板よりも前方に、遮蔽板を設けるとともに、この遮蔽板には、操作ハンドルが第１の動作状態にあるときの表示板の第１の文字を透過させる透明窓を設け、遮蔽板の透明窓の奥部には、操作ハンドルが第２の動作状態に回動した状態において操作ハンドルが第２の動作状態であることを表示する第２の文字を付した第２の文字表示部を設けたことにより、多数が配列された状態でも「常用」電源と「仮設」電源の動作表示が見やすく、全体を見て、全てが切り替わっているかどうかの確認が容易な動作表示装置付き開閉器を実現することができる。
【図面の簡単な説明】
【００１７】
【図１】本考案の実施の形態に係る動作表示装置付き開閉器を示す斜視図である。
【図２】本考案の実施の形態に係る動作表示装置付き開閉器を示す側面図である。
【図３】本考案の実施の形態に係る動作表示装置付き開閉器を示す底面図である。
【図４】本考案の実施の形態に係る動作表示装置付き開閉器の第１の動作状態を示す正面図である。
【図５】本考案の実施の形態に係る動作表示装置付き開閉器の第２の動作状態を示す正面図である。
【考案を実施するための形態】
【００１８】
以下、本考案の実施の形態を、図１〜図５を参照しながら具体的に説明する。なお、図に示す本実施の形態では、３相の電源を用いる機器用の開閉器を例示している。
図１〜図４に示すように、本考案の実施の形態に係る動作表示装置付き開閉器は、常閉接点と、常開接点と、可動接触子（いずれも図示せず）とを備えた開閉器本体１と、常閉接点に電気的に接続された常閉接点端子２と、常開接点に電気的に接続された常開接点端子３と、可動接触子に電気的に接続された共通端子４とを有し、基台５上に取り付けられている。開閉器本体１の側部には、可動接触子を常閉接点と常開接点のいずれかに投入するための操作軸（図示せず）の端部に、手動操作のための操作ハンドル６の基端部が取り付けられている。操作ハンドル６の先端にはハンドルキャップ７が取り付けられている。
【００１９】
本実施の形態における動作表示装置は、次のように構成される。すなわち、操作ハンドル６の先端部側に、操作ハンドル６の長手方向と直交する面を有する表示板８をネジ９、ナット１０により固定する。なお、既設の開閉器に動作表示装置を取り付ける際に、操作ハンドル６の長さが足りない場合は、図のようにハンドル延長金具１１をネジ９とナット１０により表示板８とともに固定し、ハンドル延長金具１１の先端にハンドルキャップ７を装着することで既設の開閉器の改変が可能となる。
【００２０】
前記表示板８上には、操作ハンドル６が第１の動作状態、すなわち常用電源側であることを表示する第１の文字「常用」を直接印刷するか、印刷したシールを貼り付ける。表示板８よりも前方には、プラスチック等の絶縁材料からなる遮蔽板１２を設ける。この遮蔽板１２は、開閉器本体１の充電部、すなわち常閉接点端子２、常開接点端子３、共通端子４などの電圧が掛かっている部分の上面を覆う形状および広さとすることにより、開閉器操作時に誤って充電部に触って感電をするなど事故を防ぐことができる。
【００２１】
この遮蔽板１２には、操作ハンドル６が第１の動作状態、すなわち常用電源側にあるときの表示板８の第１の文字「常用」を透過させる透明窓１２ａを設ける。本実施の形態では、遮蔽板１２を透明のプラスチックで構成しているため、透明窓１２ａを設けた不透明なシート１２ｂを遮蔽板１２に貼り付けた構成としている。遮蔽板１２の透明窓１２ａの奥部には、操作ハンドル６が第２の動作状態、すなわち仮設電源側に回動した状態において操作ハンドル６が第２の動作状態であることを表示する第２の文字「仮設」を付した第２の文字表示部１３を設ける。なお、第１の文字「常用」は緑色とし、第２の文字「仮設」は赤色とすると、文字を読まなくても、色で動作状態を視認できる。
【００２２】
以上の構成の動作表示装置付き開閉器を、常用電源から仮設電源に切り替えて点検を行う保守切替盤に適用する場合には、常閉接点端子（ｂ接点端子）２に常用電源を接続し、常開接点端子３（ａ接点端子）に、移動用発電機からの仮設電源を接続する。各機器は各開閉器の共通端子４に接続する。
【００２３】
通常は、開閉器は送配電線から供給される常用電源と各負荷が接続されており、操作ハンドル６は「常用」側に投入されている。点検時には、操作ハンドル６は常用側に投入した状態で、通常はつながれていない常開接点端子３に、移動用発電機からの仮設電源を接続する。全ての機器に対して仮設電源が接続されたら、常用電源と仮設電源の電圧を一致させる電圧確認を行い、かつ常用電源と仮設電源の位相を一致させる位相確認を行い、操作ハンドル６を常用側から仮設側に投入して開閉器を仮設側に順次切り替えていく。操作ハンドル６が仮設側に投入されると、第１の文字「常用」を表示した表示板８が透明窓１２ａの位置から移動し、その奥の第２の文字表示部１３に表示された「仮設」の文字が現れる（図５参照）。
【００２４】
全ての開閉器が仮設側に切り替えられると、保守切替盤の全ての開閉器の動作表示の色が赤色になるので、全部が切り替わったかどうか、すなわち緑色のままの開閉器が無いかどうかを確認することができる。確認が終了したら、常用電源を停止して、点検を開始する。
【００２５】
点検が終わったら、各開閉器を常用電源側に切り替え、全ての開閉器が常用電源側に切り替わったことを確認した上で、仮設電源を停止し、保守を終了する。
【産業上の利用可能性】
【００２６】
本考案は、多数が配列された状態でも「常用」電源と「仮設」電源の動作表示が見やすく、全体を見て、全てが切り替わっているかどうかの確認が容易な動作表示装置付き開閉器として、定期点検が必要な受配電設備等に好適に利用することができる。
【符号の説明】
【００２７】
１  開閉器本体
２  常閉接点端子
３  常開接点端子
４  共通端子
５  基台
６  操作ハンドル
７  ハンドルキャップ
８  表示板
９  ネジ
１０  ナット
１１  ハンドル延長金具
１２  遮蔽板
１２ａ  透明窓
１３  第２の文字表示部
【図１】
0003168199.tif 000003
【図２】
0003168199.tif 000004
【図３】
0003168199.tif 000005
【図４】
0003168199.tif 000006
【図５】
0003168199.tif 000007